(57)【要約】【課題】省電力化を考慮しながら輝度を局所的に高める。【解決手段】画像を表示する表示部を制御する表示制御装置１であって、画像における注目領域を推定する注目領域推定手段と、注目領域推定手段により注目領域と推定された領域と、注目領域と推定された領域以外の領域の消費電流が異なるように消費電流を制御する消費電流制御手段と、を備えたことを特徴とする。注目領域推定手段と、消費電流制御手段は、制御部１０によって実現される。【選択図】図１
2016012093.tif 000002
【特許請求の範囲】
【請求項１】
画像を表示する表示部を制御する表示制御装置であって、
前記画像における注目領域を推定する注目領域推定手段と、
前記注目領域推定手段により注目領域と推定された領域と、前記注目領域以外の領域の消費電流が異なるように消費電流を制御する消費電流制御手段と、
を備えたことを特徴とする表示制御装置。
【請求項２】
前記消費電流制御手段は、
前記注目領域と推定された領域の消費電流を制御する第１消費電流制御手段と、
前記注目領域以外の領域を、前記第１消費電流制御手段により制御された消費電流に応じた消費電流に制御する第２消費電流制御手段と、を備えたことを特徴とする請求項１記載の表示制御装置。
【請求項３】
前記消費電流制御手段は、
前記注目領域推定手段により注目領域と推定された領域の消費電流を前記第１消費電流制御手段により増加させ、前記注目領域以外の領域の消費電流を前記第２消費電流制御手段により減少させることを特徴とする請求項２記載の表示制御装置。
【請求項４】
前記第２消費電流制御手段は、
前記注目領域以外の領域を非点灯にすることにより前記消費電流を減少させることを特徴とする請求項３に記載の表示制御装置。
【請求項５】
前記第２消費電流制御手段は、
前記注目領域以外の領域の点灯率を下げることにより前記消費電流を減少させることを特徴とする請求項３に記載の表示制御装置。
【請求項６】
前記第２消費電流制御手段は、
前記注目領域以外の領域の輝度を下げることにより前記消費電流を減少させることを特徴とする請求項３に記載の表示制御装置。
【請求項７】
前記第１消費電流制御手段は、
前記注目領域の輝度を上げることにより前記消費電流を増加させることを特徴とする請求項２から６のいずれか１項に記載の表示制御装置。
【請求項８】
屋外にいるか否かを判定する屋外判定手段を備え、
前記消費電流制御手段は、
前記屋外判定手段により屋外にいると判定された場合、前記注目領域推定手段により前記注目領域と推定された領域の消費電流を増加させ、前記注目領域以外の領域の消費電流を減少させることを特徴とする請求項２から７のいずれか１項に記載の表示制御装置。
【請求項９】
照度を測定する照度測定手段を備え、
前記消費電流制御手段は、
前記屋外判定手段により屋外にいると判定され、かつ、前記照度測定手段により測定された照度が所定の照度以上の場合、前記注目領域推定手段により注目領域であると推定された領域の消費電流を増加させ、前記注目領域以外の領域の消費電流を減少させることを特徴とする請求項８に記載の表示制御装置。
【請求項１０】
前記表示部は、自発光表示デバイスを用いたものであることを特徴とする請求項１から９のいずれか１項に記載の表示制御装置。
【請求項１１】
画像における注目領域を推定する注目領域推定ステップと、
前記注目領域と推定された領域と、前記注目領域以外の領域の消費電流が異なるように消費電流を制御する消費電流制御ステップと、
を有することを特徴とする表示制御方法。
【請求項１２】
画像における注目領域を推定する機能と、
前記注目領域と推定された領域と、前記注目領域以外の領域の消費電流が異なるように消費電流を制御する機能と、
を実現させる表示制御装置のプログラム。
【発明の詳細な説明】
【技術分野】
【０００１】
本発明は、表示制御装置、および表示制御方法、ならびにプログラム、特に、自発光表示デバイスからなる表示部を制御する用途に用いて好適な表示制御装置、および表示制御方法、ならびにプログラムに関する。
【背景技術】
【０００２】
ＬＣＤ（Liquid Crystal Display）等の表示デバイスは、バックライト等を用いて表示の明るさを調整している。一方、有機ＥＬ（ＯＥＬ：Organic Electro-Luminescence）に代表される自発光表示デバイスは、バックライト等を用いることなく、各画素の発光で明るさを調整している。
【０００３】
ところで、モバイル機器では、太陽光の下では視認性が悪くなるため表示部の輝度を上げることにより視認性を高めている。有機ＥＬを表示デバイスとして持つ機器の視認性向上技術の一例が、例えば、特許文献１に記載されている。
【先行技術文献】
【特許文献】
【０００４】
【特許文献１】特開２００７−２９８７７９号公報
【発明の概要】
【発明が解決しようとする課題】
【０００５】
特許文献１に記載された技術によれば、文字領域の発光輝度値を背景領域に比べて選択的に持ち上げる制御を実行することにより文字領域の視認性を向上させている。しかしながら、その場合の消費電流の増加を考慮していない。画素の輝度を上げると電力消費が増加して機器の電池寿命等が短くなり、したがって、例えば、スマートフォンやウエアブル端末等の電池やバッテリ容量が多くないモバイル機器の場合、このような消費電流を考慮しない制御は望ましくない。
【０００６】
本発明は、このような事情に鑑みなされたものであり、省電力化を考慮しながら輝度を局所的に高めることができる、表示制御装置、および表示制御方法、ならびにプログラムを提供することを目的とする。
【課題を解決するための手段】
【０００７】
本発明は、上記目的を達成するために以下の構成によって把握される。
（１）本発明の表示制御装置は、画像を表示する表示部を制御する表示制御装置であって、前記画像における注目領域を推定する注目領域推定手段と、前記注目領域推定手段により注目領域と推定された領域と、前記注目領域以外の領域の消費電流が異なるように消費電流を制御する消費電流制御手段と、を備えたことを特徴とする。
【０００８】
（２）本発明の表示制御方法は、画像における注目領域を推定する注目領域推定ステップと、前記注目領域と推定された領域と、前記注目領域以外の領域の消費電流が異なるように消費電流を制御する消費電流制御ステップと、を有することを特徴とする。
【０００９】
（３）本発明の表示制御装置のプログラムは、画像における注目領域を推定する機能と、前記注目領域と推定された領域と、前記注目領域以外の領域の消費電流が異なるように消費電流を制御する機能と、を実現させることを特徴とする。
【発明の効果】
【００１０】
本発明によれば、省電力化を考慮しながら輝度を局所的に高めることができる、表示制御装置、および表示制御方法、ならびにプログラムを提供することができる。
【図面の簡単な説明】
【００１１】
【図１】本発明の実施の形態に係る表示制御装置の構成を示すブロック図である。
【図２】本発明の実施の形態に係る表示制御装置の動作を示すフローチャートである。
【図３】本発明の実施の形態に係る表示制御装置が有する輝度調整テーブルの一例を示す図である。
【図４】本発明の実施の形態に係る表示制御装置の表示の一例である。
【図５】本発明の実施の形態に係る表示制御装置の表示の他の例である。
【図６】本発明の実施の形態に係る表示制御装置の表示の更に他の例である。
【発明を実施するための形態】
【００１２】
以下、添付図面を参照して、本発明を実施するための形態（以下、単に、本実施形態という）について詳細に説明する。なお、実施形態の説明の全体を通して同じ要素には同じ番号または符号を付している。
【００１３】
（実施形態の構成）
図１は、本実施形態に係る表示制御装置１の構成を示すブロック図である。図１に示すように、本実施形態に係る表示制御装置１は、画像を表示する表示部２として使用される有機ＥＬディスプレイ（以下、単にＯＥＬ２という）を制御する。ＯＥＬ２は、周知のように、ＲＧＢの基本原色で構成された１画素がマトリクス上に配列された表示デバイスであり、個々の基本原色は有機ＥＬ発光素子が発生する。また、マトリクスの交点位置には駆動回路が配置され、更に、駆動回路を制御する制御回路も含む。制御回路は、表示制御装置１（後述する制御部１０）によりプログラマブルにリードライトされるレジスタを含む。
【００１４】
表示制御装置１は、制御部１０と、記憶部１１と、電流検出部１２と、照度測定部１３と、ＯＥＬ電源供給部１４とを含み構成される。
【００１５】
電流検出部１２は、ＯＥＬ２に流れる電流を検出して制御部１０に出力する。照度測定部１３は、ＯＥＬ２周辺の明るさを測定して制御部１０に出力する。なお、照度測定部１３としては、表示制御装置１に設けられるソーラパネルの発電状態などの変化を利用して構成することも可能である。制御部１０は、画像における注目領域を推定し、注目領域と推定された領域と、注目領域以外の領域の消費電流が異なるように制御する。このため、制御部１０は、注目領域判定手段と、消費電流制御手段として機能する。
【００１６】
制御部１０は、注目領域推定手段としての機能を実行するにあたり、例えば、主要被写体（主要部）と背景とを区別する画像処理技術を用いる。このための画像処理アルゴリズムは、例えば、本出願人と同じ出願人により過去に出願され、公開された、特開２０１１−５３７５９号公報に詳細に記載されている。
【００１７】
また、制御部１０は、消費電流制御手段としての機能を実行するにあたり、注目領域と推定された領域の消費電流を増加させ、注目領域以外の領域の消費電流を減少させる。このため、制御部１０は、消費電流を増加させる第１消費電流制御手段と消費電流を減少させる第２消費電流制御手段として機能する。制御部１０は、消費電力を減少させるために、注目領域以外の領域を非点灯にするか、注目領域以外の領域の点灯率を下げるか、注目領域以外の領域の輝度を下げる制御を行う。また、消費電力を増加させるために、注目領域の輝度を上げる制御を行う。
【００１８】
制御部１０は、電流検出部１２により検出されるＯＥＬ２に流れる電流値と、例えば、図３に示す、記憶部１１の一部領域に割り当てられ記憶された輝度調ＴＢＬ（テーブル）１１０とにより、注目領域と注目領域以外の輝度を制御する。詳細は後述する。
【００１９】
制御部１０は、例えば、照度測定部１３により測定されるＯＥＬ２周囲の照度により屋外にいると判定された場合、注目領域と推定された領域の消費電流を増加させ、注目領域以外の領域の消費電流を減少させるように制御する。また、屋外にいると判定され、かつ、測定された照度が所定の照度以上の場合、注目領域であると推定された領域の消費電流を増加させ、注目領域以外の領域の消費電流を減少させる制御を行ってもよい。
【００２０】
なお、ＯＥＬ電源供給部１４は、バッテリ３から供給される電力を使用し、電流の大きさに応じて輝度が変化するＯＥＬ２に、制御部１０から与えられる信号に応じて電流を制御して電圧を印加する。
【００２１】
（実施形態の動作）
以下、図２のフローチャートを参照しながら、図１に示す本実施形態に係る表示制御装置１の動作について詳細に説明する。
【００２２】
ＯＥＬ電源供給部１４からＯＥＬ２の表示に必要な電力が供給され、「注目領域の輝度を増加させ、注目領域以外の輝度を減少させる機能」の実行開始を指示する、例えば、電源がＯＮやこの制御の実施を開始するためのスイッチＳＷの押下が検出されることにより（ステップＳ１０１“ＹＥＳ”）、以下に詳述する輝度制御が開始される。
【００２３】
制御部１０は照度判定部１３の出力に基づく輝度変化を検出すると（ステップＳ１０２“ＹＥＳ”）、暗い状態から明るい状態に変化したか、逆に、明るい状態から明るい状態に変化したかを判定する（ステップＳ１０３）。例えば、太陽光の下で表示を高輝度化する必要がある場合に（ステップＳ１０３“ＹＥＳ”）、制御部１０は、ＯＥＬ２の現在における表示エリアの表示状態に関する情報を取得する（ステップＳ１０４）。ここで、表示状態に関する情報とは、例えば、表示部中の表示に使用しているエリアの範囲、その範囲の状態（点灯している画素（点灯率）、輝度）、及び、電流検出部１２により検出される現在の消費電流値などである。
【００２４】
次に、制御部１０は、照度測定部１３により測定された外光の明るさに基づき、輝度の目標値を設定するとともに、注目領域の推定（表示部中の表示に使用しているエリアの中で強調すべき項目の推定）を行う（ステップＳ１０５）。
なお、記憶部１１の一部領域に記憶された輝度調整ＴＢＬ１１０には、外光の明るさと、その明るさのときに設定する輝度との関係が登録されているので、制御部１０は、輝度調整ＴＢＬ１１０を参照して外光の明るさとその明るさのときに設定する輝度との関係から上述の輝度の目標値の設定を行う。
【００２５】
次に、制御部１０は、推定した注目領域を目標の輝度にするのに必要な消費電力の増加量を計算する（ステップＳ１０６）。
具体的には、輝度調整ＴＢＬ１１０内には、図３に示すような、レジスタ値と消費電流値との関係（輝度レベル調整曲線（横軸はレジスタ値、縦軸は消費電流値［ｍＡ］））も記憶されており、また、レジスタ値若しくは消費電流値に対応した輝度の関係も記憶されている。
なお、この輝度レベル調整曲線は、ＯＥＬ２の１画素に対応する代表データである。
また、レジスタとは、制御部１０によりプログラマブルにアクセスされる、ＯＥＬ２が内蔵する輝度調整用のレジスタであり、ここに、制御部１０による制御の下の輝度調整値が設定される。すなわち、制御部１０によりレジスタに横軸が示す適当な値を設定することにより消費電流値が決まる。
【００２６】
したがって、注目領域の各画素が、それぞれ、どのレジスタ値に設定されることになるのかを基に、各画素の消費電流値を求め、その求めた消費電流値から現在の消費電流値を引くことで消費電流値の増加量を求めることができる。
【００２７】
続いて、制御部１０は、推定された注目領域を必要な輝度の状態とするように、注目領域の各画素のレジスタ値の設定を変更し、輝度の設定変更を行うとともに、上記で計算された消費電流値の増加量と等しくなる分の消費電流値を削減するために、注目領域以外の領域の輝度の設定変更、つまり、注目領域だけを表示エリアとするように表示エリアの縮小を行ったり、注目領域以外の領域の画素の点灯率を調節することを行う（ステップＳ１０７）。
このステップＳ１０７の輝度の設定変更の例を図４〜図６を参照して以下説明する。図４〜図６において、左側は、例えば、屋内のときのＯＥＬ２の表示状態を示しており、右側は、例えば、屋外の太陽光の下でのＯＥＬ２の表示状態を示したものである。
【００２８】
図４は、屋内において全画面表示されていた状態（図左）が、ステップＳ１０５で表示部の現在日時表示（２０１３．１２．１３  Ｆｒｉ  １０：３５）を含む中央領域が注目領域として推定され、その注目領域の輝度を太陽光の下で必要な輝度に上げるとともに、注目領域の輝度を上げることに伴う消費電流値の増加分を削減するために、注目領域以外の領域（ハッチング部分）の輝度を下げる為に、表示エリアの縮小を行った例である。
なお、この場合、注目領域内の輝度の上げ方として、コントラストを維持するように均一に輝度を上げてもよいし、文字部分（数字やアルファベットの部分）の輝度をより輝度が高くなるようにしてもよい。
【００２９】
また、図５は、屋内において全画面表示されていた状態（図左）が、ステップＳ１０５で表示部の現在時刻表示（１０：３５）を含む中央領域が注目領域として推定され、その注目領域の輝度を太陽光の下で必要な輝度に上げるとともに、注目領域の輝度を上げることに伴う消費電流値の増加分を削減するために、注目領域以外の領域の点灯画素を減らして、点灯率を変えることで輝度を下げるようにした例である。
なお、図５の注目領域以外で白抜き表記としているところが点灯している画素であり、黒塗りになっているところが非点灯状態にした画素を示している。
この場合も、図４の例と同様に、注目領域内の輝度の上げ方として、コントラストを維持するように均一に輝度を上げてもよいし、数字の輝度をより輝度が高くなるようにしてもよい。
【００３０】
さらに、図６は、屋内において全画面表示されていた状態（図左）が、ステップＳ１０５で表示部の時刻表示（１０：３５）だけが注目領域と推定され、その注目領域である数字の表示の輝度を太陽光の下で必要な輝度に上げるとともに、注目領域の輝度を上げることに伴う消費電流値の増加分を削減するために、注目領域以外の領域である数字以外の部分の輝度を下げるようにした例である。
なお、図４〜図６に示す例は、あくまでも一例であって、適宜組み合わせなどを行い適切な消費電流値の制御を行ってよい。
例えば、注目領域以外の領域の消費電流値を下げるために、点灯している画素を間引くように点灯率を変えるとともに合わせて点灯している画素の輝度を低くするようにしてもよい。
【００３１】
説明を図２のフローチャートに戻す。制御部１０は、上記したように、表示エリア、あるいは画素の点灯率を制御して輝度の設定変更を行った後（ステップＳ１０７）、ＯＥＬ２による表示に反映させ（ステップＳ１０８）、ステップＳ１０１に分岐する。すなわち、電源ＯＦＦ、または図示省略したスイッチ（ＳＷ）が押下されて、この制御の終了指令が発生するまで、ステップＳ１０２〜Ｓ１０８の処理を繰り返し実行する。なお、ステップＳ１０３で、照度測定部１３により輝度が明るい状態から暗い状態に変化（例えば、屋外から屋内に環境が変化）したことが検出されると、制御部１０は、設定された輝度調整値を初期値に変更して（ステップＳ１０９）、ステップＳ１０８の処理に分岐する。
【００３２】
（実施形態の効果）
以上説明のように、本実施形態に係る表示制御装置１によれば、注目領域を推定し、注目領域と推定された領域と、注目領域以外の領域の消費電流が異なるように制御することで、注目領域の輝度を必要な輝度に上昇させるとともに、注目領域以外の領域の輝度を下げるように制御することが可能であり、消費電流値のトータル量を変えることなく、明るい屋外等での表示の視認性を高めることができる。したがって、表示部に有機ＥＬディスプレイ等、自発光表示デバイスを用いた場合の高輝度化による消費電力の増加を防ぎ、モバイル機器等におけるバッテリの延命化が可能である。
【００３３】
なお、本実施形態に係る表示制御装置１によれば、ＯＥＬ電源供給部１４とＯＥＬ２との間に電流検出部１２を備え、電流検出部１２で検出した消費電流値を制御部１０に出力して輝度制御する構成についてのみ説明したが、電流検出部１２は必須の構成でなく、制御部１０が入力値から消費電流値を推定できるものであれば代替可能である。また、輝度値が設定されるレジスタはＯＥＬ２に内蔵されるとして説明したが、ＯＥＬ２の外部にあってもよい。更に、表示部として、ＯＥＬ２（有機ＥＬ）のみ例示したが、無機ＥＬのような自発光表示デバイスであればその種類は問わない。
【００３４】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またそのような変更または改良を加えた形態も本発明の技術的範囲に含まれ得ることが、特許請求の範囲の記載から明らかである。
【００３５】
以下に、この出願の願書に最初に添付した特許請求の範囲に記載した発明を付記する。付記に記載した請求項の項番は、この出願の願書に最初に添付した特許請求の範囲の通りである。
【００３６】
〔付記〕
［請求項１］
画像を表示する表示部を制御する表示制御装置であって、
前記画像における注目領域を推定する注目領域推定手段と、
前記注目領域推定手段により注目領域と推定された領域と、前記注目領域以外の領域の消費電流が異なるように消費電流を制御する消費電流制御手段と、
を備えたことを特徴とする表示制御装置。
［請求項２］
前記消費電流制御手段は、
前記注目領域と推定された領域の消費電流を制御する第１消費電流制御手段と、
前記注目領域以外の領域を、前記第１消費電流制御手段により制御された消費電流に応じた消費電流に制御する第２消費電流制御手段と、を備えたことを特徴とする請求項１記載の表示制御装置。
［請求項３］
前記消費電流制御手段は、
前記注目領域推定手段により注目領域と推定された領域の消費電流を第１消費電流制御手段により増加させ、前記注目領域以外の領域の消費電流を前記第２消費電流制御手により減少させることを特徴とする請求項２記載の表示制御装置。
［請求項４］
前記第２消費電流制御手段は、
前記注目領域以外の領域を非点灯にすることにより前記消費電流を減少させることを特徴とする請求項３に記載の表示制御装置。
［請求項５］
前記第２消費電流制御手段は、
前記注目領域以外の領域の点灯率を下げることにより前記消費電流を減少させることを特徴とする請求項３に記載の表示制御装置。
［請求項６］
前記第２消費電流制御手段は、
前記注目領域以外の領域の輝度を下げることにより前記消費電流を減少させることを特徴とする請求項３に記載の表示制御装置。
［請求項７］
前記第１消費電流制御手段は、
前記注目領域の輝度を上げることにより前記消費電流を増加させることを特徴とする請求項２から６のいずれか１項に記載の表示制御装置。
［請求項８］
屋外にいるか否かを判定する屋外判定手段を備え、
前記消費電流制御手段は、
前記屋外判定手段により屋外にいると判定された場合、前記注目領域推定手段により前記注目領域と推定された領域の消費電流を増加させ、前記注目領域以外の領域の消費電流を減少させることを特徴とする請求項２から７のいずれか１項に記載の表示制御装置。
［請求項９］
照度を測定する照度測定手段を備え、
前記消費電流制御手段は、
前記屋外判定手段により屋外にいると判定され、かつ、前記照度測定手段により測定された照度が所定の照度以上の場合、前記注目領域推定手段により注目領域であると推定された領域の消費電流を増加させ、前記注目領域以外の領域の消費電流を減少させることを特徴とする請求項８に記載の表示制御装置。
［請求項１０］
前記表示部は、自発光表示デバイスを用いたものであることを特徴とする請求項１から９のいずれか１項に記載の表示制御装置。
［請求項１１］
画像における注目領域を推定する注目領域推定ステップと、
前記注目領域と推定された領域と、前記注目領域以外の領域の消費電流が異なるように消費電流を制御する消費電流制御ステップと、
を有することを特徴とする表示制御方法。
［請求項１２］
画像における注目領域を推定する機能と、
前記注目領域と推定された領域と、前記注目領域以外の領域の消費電流が異なるように消費電流を制御する機能と、
を実現させる表示制御装置のプログラム。
【符号の説明】
【００３７】
１      表示制御装置
２      表示部（ＯＥＬ）
３      バッテリ
１０    制御部
１１    記憶部
１２    電流検出部
１３    照度測定部
１４    ＯＥＬ電源供給部
１１０  輝度調整ＴＢＬ
【図１】
2016012093.tif 000003
【図２】
2016012093.tif 000004
【図３】
2016012093.tif 000005
【図４】
2016012093.tif 000006
【図５】
2016012093.tif 000007
【図６】
2016012093.tif 000008